(57)【要約】【課題】  便秘時の排便を促すことのできる洗浄装置を提供する。【解決手段】  水道管１と接続された給水管２に元弁３、吐出圧調節部４、温水タンク５を設け、温水タンク５と接続された温水管６にノズル７を設ける。ノズル７の吐出口８は便座１０に坐った使用者の肛門に向けて配設する。操作／表示部２０に肛門周りの通常洗浄を開始させる通常洗浄ボタン２１、停止ボタン２２のほか肛門内に水流を入りこませる小浣腸を開始させる小浣腸ボタン２３を設ける。小浣腸ボタン２３が押されると吐出制御部３０は元弁３を開き、吐出圧調節部４を通常洗浄モードでの「強」の場合より、少し強く温水流が肛門内にまで流入する吐出圧となるように制御し、ノズル７の吐出口８から温水流を肛門内流入吐出圧で吐出させる。吐出制御部３０は４０乃至６０秒程度の一定時間が経過すると、自動的に元弁３を閉じ、小浣腸モード表示器２８を消灯して小浣腸モードを終える。【選択図】        図１
0003199817.tif 000002
【実用新案登録請求の範囲】
【請求項１】
便座に坐った人の肛門に向けて水流を吐出するノズルと、
温水を生成する温水生成手段と、
ユーザが通常洗浄操作と小浣腸操作を行なう操作手段と、
ユーザが通常洗浄操作をしたときは、温水生成手段で作成された温水を肛門周りを洗浄する通常の吐出圧でノズルから吐出させ、ユーザが小浣腸操作をしたとき、温水作成手段で作成された温水を通常より高く肛門内に流入する吐出圧でノズルから吐出させる吐出制御手段と、
を備えたことを特徴とする洗浄装置。
【請求項２】
吐出制御手段は、ユーザの小浣腸操作により、温水作成手段で作成された温水を通常より高く肛門内に流入する吐出圧でノズルから吐出させたあと、一定時間後に自動的に温水の吐出を停止させるようにしたこと、
を特徴とする請求項１記載の洗浄装置。
【請求項３】
温水吐出中に操作手段で停止操作がされたとき、温水の吐出を停止するようにしたこと、
を特徴とする請求項１または２記載の洗浄装置。
【請求項４】
吐出制御手段は、ユーザが小浣腸操作をしたとき、温水をパルス状にノズルから吐出させるようにしたこと、
を特徴とする請求項１乃至３の内のいずれか一項記載の洗浄装置。
【考案の詳細な説明】
【技術分野】
【０００１】
本考案は洗浄装置に係り、とくにトイレの便器に設置されて人の局部の洗浄を行なう洗浄装置に関する。
【背景技術】
【０００２】
トイレの便器には排便後の肛門周りをノズルから吐出した水流で洗浄する洗浄装置が装備されている。ところが、従来の洗浄装置では単に人体の外側の汚れを洗浄することしかできなかった。
【先行技術文献】
【特許文献】
【０００３】
【特許文献１】実用新案登録第３１５９０７８号公報
【考案の概要】
【考案が解決しようとする課題】
【０００４】
本考案は上記した従来技術の問題に鑑みなされたもので、便秘時の排便を促すことのできる洗浄装置を提供することを、その目的とする。
【課題を解決するための手段】
【０００５】
請求項１記載の考案では、
便座に坐った人の肛門に向けて水流を吐出するノズルと、
温水を生成する温水生成手段と、
ユーザが通常洗浄操作と小浣腸操作を行なう操作手段と、
ユーザが通常洗浄操作をしたときは、温水生成手段で作成された温水を肛門周りを洗浄する通常の吐出圧でノズルから吐出させ、ユーザが小浣腸操作をしたとき、温水作成手段で作成された温水を通常より高く肛門内に流入する吐出圧でノズルから吐出させる吐出制御手段と、
を備えたことを特徴としている。
請求項２記載の考案では、
吐出制御手段は、ユーザの小浣腸操作により、温水作成手段で作成された温水を通常より高く肛門内に流入する吐出圧でノズルから吐出させたあと、一定時間後に自動的に温水の吐出を停止させるようにしたこと、
を特徴としている。
請求項３記載の考案では、
温水吐出中に操作手段で停止操作がされたとき、温水の吐出を停止するようにしたこと、
を特徴としている。
請求項４記載の考案では、吐出制御手段は、ユーザが小浣腸操作をしたとき、温水をパルス状にノズルから吐出させるようにしたこと、
を特徴としている。
【考案の効果】
【０００６】
本考案によれば、ユーザが小浣腸操作をすることにより、通常洗浄より高く肛門内に水流が進入する圧力で温水を吐出させることができ、便秘時の排便を容易に促すことができる。また、排便後は、通常洗浄操作をすることにより、肛門周りを洗浄する通常の水圧で温水を吐出させることができる。
【図面の簡単な説明】
【０００７】
【図１】本考案の一実施例に係る洗浄装置の構成図である（実施例１）。
【図２】図１の洗浄装置による洗浄動作の説明図である。
【図３】図１の変形例による洗浄動作の説明図である。
【考案を実施するための最良の形態】
【０００８】
以下、本考案の最良の形態を実施例に基づき説明する。
【実施例１】
【０００９】
図１は本考案の一実施例に係る洗浄装置の構成図である。
図１において、１は水道管、２は水道管１と接続された給水管、３と４は給水管２の途中に設けられた元弁（電磁弁）とノズル吐出圧調節部、５は給水管２と接続された温水タンク、６は温水タンク５と接続された温水管、７は温水管６と接続されたノズルであり、吐出口８が便器９の便座１０に坐った使用者の肛門に向けて配設されている。温水タンク５にはヒータ１１、温度センサ１２が内蔵されている。
２０は操作／表示部であり、肛門周りの通常洗浄を開始させる通常洗浄ボタン２１、停止ボタン２２、肛門内に水流を入りこませる小浣腸を開始させる小浣腸ボタン２３、吐出圧増大ボタン２４、吐出圧減少ボタン２５、吐出圧表示器２６、通常洗浄モード表示器２７、小浣腸モード表示器２８などが設けられている。３０はマイコン構成の吐出制御部であり、操作／表示部２０での操作に従い各部を制御し、ノズル７の吐出口８から通常洗浄モードで温水流を吐出させたり、小浣腸モードで温水流を吐出させたりする。吐出制御部３０は内蔵メモリ（図示せず）に通常洗浄モードでの吐出圧を示す吐出圧データＶＬＤを保持している。この吐出圧データＶＬＤは弱、中、強の３段階で変化する。
【００１０】
図２は吐出制御部３０による吐出制御の説明図であり、以下、この図を参照して上記した実施例の動作を説明する。なお、予め、吐出圧データＶＬＤは「中」となっており、吐出圧表示器２６の「中」のセグメントが点灯されているものとする。
（１）通常洗浄（図２（１）参照）
使用者が用便後に肛門周りの通常洗浄をしたい場合、操作／表示部２０の通常洗浄ボタン２１を押す。すると、吐出制御部３０は通常洗浄モード表示器２７を点灯させ、元弁３を開き、吐出圧データＶＬＤを参照して吐出圧調節部４を「中」に相当する吐出圧に制御し、ノズル７の吐出口８から温水流を「中」の吐出圧で吐出させる。この際、吐出制御部３０は温水タンク５の温度センサ１２を監視しながらヒータ１１により一定温度に加温する。
【００１１】
使用者が吐出圧を弱めたい場合、吐出圧減少ボタン２５を一回押す。すると、吐出制御部３０は吐出圧データＶＬＤを「中」から一段下げて「弱」とし、吐出圧調節部４を「弱」に相当する吐出圧となるように制御し、ノズル７の吐出口８から温水流を「弱」の吐出圧で吐出させる。また、吐出圧表示器２６の「中」のセグメントを消灯し、「弱」のセグメントを点灯させる。
使用者が吐出圧を強めたい場合、吐出圧増大ボタン２４を一回押す。すると、吐出制御部３０は吐出圧データＶＬＤを「弱」から一段上げて「中」とし、吐出圧調節部４を「弱」から「中」に相当する吐出圧となるように可変制御してノズル７の吐出口８からの温水流を「弱」から「中」に変化させ、吐出圧表示器２６の「弱」のセグメントを消灯し、「中」のセグメントを点灯させる。吐出圧増大ボタン２４を更に一回押すと吐出圧データＶＬＤを「中」から一段上げて「強」とし、吐出圧調節部４を「中」から「強」に相当する吐出圧となるように可変制御してノズル７の吐出口８から温水流を「中」から「強」の吐出圧に変化させて吐出させる。また、吐出圧表示器２６の「中」のセグメントを消灯し、「強」のセグメントを点灯させる。
このようにして、使用者は通常洗浄ボタン２１を押して通常洗浄モードとすることで、「弱」、「中」、「強」の任意の吐出圧により肛門周りの通常の洗浄を行うことができる。洗浄後、停止ボタン２２を押すと、吐出制御部３０は元弁３を閉め、ノズル７からの温水流の吐出を止める。そして、通常洗浄モード表示器２７を消灯して通常洗浄モードを終える（通常洗浄モード開始後、一定時間経過したら強制的に温水流の吐出を止め、通常洗浄モードを終えるようにしても良い）。吐出圧表示器２６の「強」のセグメントの点灯は継続させる（なお、通常洗浄モードを終えたとき、吐出圧データＶＬＤを「中」に可変し、吐出圧表示器２６の「強」のセグメントを消灯し、「中」のセグメントを点灯させても良い）。
通常洗浄モードでの吐出圧「弱」、「中」、「強」はいずれも通常範囲内であり、温水流は肛門内にまで流入しない。
【００１２】
（２）小浣腸（図２（２）参照）
使用者が温水流を肛門内に流入させて排便を促す小浣腸をしたい場合、操作／表示部２０の小浣腸ボタン２３を押す。すると、吐出制御部３０は元弁３を開き、吐出圧調節部４を通常洗浄モードでの「強」の場合より、少し強く温水流が肛門内にまで流入する吐出圧となるように制御し、ノズル７の吐出口８から温水流を肛門内流入吐出圧で吐出させる。そして、吐出圧表示器２６を消灯し、小浣腸モード表示器２８を点灯させる。この際、吐出制御部３０は温水タンク５の温度センサ１２を監視しながらヒータ１１により一定温度に加温する。
吐出制御部３０は４０乃至６０秒程度の一定時間が経過すると、自動的に元弁３を閉じ、小浣腸モード表示器２８を消灯して小浣腸モードを終える。若し、小浣腸モード下で温水流の吐出中に使用者が停止ボタン２２を押したときは、直ちに元弁３を閉じて小浣腸モードを終える。吐出制御部３０は小浣腸モードを終えたあと、吐出圧データＶＬＤを「中」とし、吐出圧表示器２６の「中」のセグメントを点灯させる。
このようにして、使用者は小浣腸ボタン２３を押して小浣腸モードとすることで、通常の洗浄より吐出圧が少し強く、肛門内に流入する温水流により、排便を促したり、肛門内外の洗浄をして痔を防いだり、腸内ガスを排出させたりすることが可能となる。
【００１３】
この実施例によれば、使用者が用便後、通常洗浄ボタン２１を押して通常洗浄モードとすることで、「弱」、「中」、「強」の任意の吐出圧により肛門周りの通常の洗浄を行うことができる。洗浄後、停止ボタン２２を押すと、吐出制御部３０は元弁３を閉め、ノズル７からの温水流の吐出を止める。この通常洗浄モードでの吐出圧「強」では、温水流は肛門内にまで流入しない。
これと異なり、使用者は小浣腸ボタン２３を押して小浣腸モードとすることで、通常の洗浄より吐出圧が少し強く、肛門内に流入する温水流により、排便を促したり、肛門内外の洗浄をして痔を防いだり、腸内ガスの排出をしたりすることが可能となる。
【００１４】
なお、上記した実施例では小浣腸モード時、温水流が連続的に吐出するようにしたが、吐出制御部は吐出圧が図３に示す如くパルス状に変化するように吐出圧調節部を制御することで、吐出温水に泡を生じさせて飛散し難くしたり、不快感が生じ難くなるようにしても良い。
また、通常洗浄モードで、吐出圧が「強」となっている状態で、吐出圧増大ボタンが押されたとき、自動的に小浣腸モードに移行し、吐出制御部が吐出圧調節部を通常洗浄モードでの「強」の場合より少し強く、温水流が肛門内にまで流入する吐出圧となるように制御し、ノズルの吐出口から温水流を肛門内流入吐出圧で吐出させるようにしても良い（この場合も、小浣腸モード表示器を点灯させる）。
【産業上の利用可能性】
【００１５】
本考案は、トイレの洗浄装置付便器、便器に後付する洗浄装置などに適用可能である。
【符号の説明】
【００１６】
３  元弁
４  吐出圧調節部
５  温水タンク
７  ノズル
２０  操作／表示部
３０  吐出制御部
【図１】
0003199817.tif 000003
【図２】
0003199817.tif 000004
【図３】
0003199817.tif 000005